(57)【要約】      （修正有）【課題】香炉灰を線香等の燃え残りと分離する際に飛散することなく、容易に分離でき、また、単純な構造で容易に灰と燃え残りを分離でき、さらに、大量の灰を処理する場合でも単に香炉灰を継ぎ足せばよく、簡単な処理で大量の灰と燃え残り等を分離できる香炉灰分離器を提供する。【解決手段】篩１２と筐体１４とを備える香炉灰分離器１０であって、篩１２と筐体１４とが着脱可能に嵌合し、篩１２の底面には灰を濾すための細孔が設けられており、筐体１４の底面に灰を筐体１４外部へと排出するための排出口が設けられており、篩１２を回動または振動させることで、篩１２の内部に配置した灰が、篩１２の底面に設けられた細孔から筐体１４内部へと濾される。【選択図】図１
0003216510.tif 000002
【実用新案登録請求の範囲】
【請求項１】
篩と筐体とを備える香炉灰分離器であって、    
前記篩と前記筐体とが着脱可能に嵌合し、
前記篩の底面には灰を濾すための細孔が設けられており、
前記筐体の底面に灰を筐体外部へと排出するための排出口が設けられており、
前記篩を回動または振動させることで、前記篩の内部に配置した香炉灰のうち灰のみが前記篩の底面に設けられた細孔から前記筐体内部へと濾され、
前記灰が前記排出口から外部へと排出されることを特徴とする香炉灰分離器。
【請求項２】
請求項１に記載の香炉灰分離器において、
前記篩の底面に設けられた前記細孔の直径が０．５ｍｍから２ｍｍであることを特徴とする香炉灰分離器。
【請求項３】
請求項１又は２に記載の香炉灰分離器において、
前記筐体に脚部が立設されていることを特徴とする香炉灰分離器。
【請求項４】
請求項１〜３のいずれか１項に記載の香炉灰分離器において、
前記篩と前記筐体とが嵌合したときに前記篩と前記筐体との間に隙間が形成され、
前記隙間が０．５ｍｍから１０ｍｍであることを特徴とする香炉灰分離器。
【請求項５】
請求項１〜４のいずれか１項に記載の香炉灰分離器において、
前記篩に把手が突設されていることを特徴とする香炉灰分離器。
【請求項６】
請求項１〜５のいずれか１項に記載の香炉灰分離器において、
前記筐体が略角柱形状または略円筒形の形状であり、
前記筐体の上面の径が前記筐体底面の径よりも大きいことを特徴とする香炉灰分離器。
【請求項７】
請求項１〜６のいずれか１項に記載の香炉灰分離器において、
前記篩の底面に設けられた前記細孔が網状に形成されていることを特徴とする香炉灰分離器
【考案の詳細な説明】
【技術分野】
【０００１】
本考案は、香炉内のる灰と、灰の中に焼け残っている線香や抹香等を簡単に分離することのできる香炉灰分離器に関する。
【背景技術】
【０００２】
仏教寺院や葬儀場または家庭等で使用される香炉は、香炉に灰を入れ火のついている線香をさしたり、火のついている香炭を灰の上に置き、抹香をつまんで、香炭の上に落とすようにして使用する。香炉を継続的に使用すると、香炉の灰の中に焼け残っている線香や抹香等が溜まってくる。例えば、火のついている線香を香炉の灰にさして立てたとき、灰の中に存在する線香の部分は、燃焼せずにそのまま残ってしまう。また、抹香をつまんで香炭から離れた所に抹香を落としたときにも、抹香が燃焼せずにそのまま残ってしまう。その為、香炉をある程度使用したときには、香炉の灰の中から焼け残っている線香や抹香等を取り除く作業を行う必要が生じている。
【０００３】
香炉の灰の掃除は笊や篩を用意し、笊や篩に香炉の灰と線香や抹香等の焼け残りを一緒に移したのち揺動することで、灰とその他の物を分離して選別していた。この作業中に灰が空中に舞い上がり、作業者の服に付着したり、周辺に飛散して汚したり、作業者が灰を吸い込んでしまうという問題が生じていた。
【０００４】
この問題を解決するために、灰と線香等の焼け残りの分離作業中に、周囲に灰が飛散することなく、灰と焼け残りを分離することのできる発明や考案が提案されている。（特許文献１、２、３）
【０００５】
特許文献１に記載の考案は、手を汚さず簡単に灰と線香の燃え残りを分離できる蓋と受け皿と本体の３点で構成される処理器に関する。また、特許文献２に記載の考案は、上下部が開口する略円筒状の灰ふるい器本体内部に底網と回動自在な回転網備えることで一度に多くの量を短時間に、且つ簡単な操作で処理できる灰ふるい器に関する。さらに、特許文献３は周囲に灰が飛散することなく、香炉における灰と、灰の中に焼け残っている線香や抹香等を自動的に分離することのできる香炉灰自動分離装置に関する。
【先行技術文献】
【特許文献】
【０００６】
【特許文献１】実用新案登録第３１２９７０８号公報
【特許文献２】実用新案登録第３１７８８０７号公報
【特許文献３】特開２０１１−４１７０２号公報
【考案の概要】
【考案が解決しようとする課題】
【０００７】
特許文献１に記載の考案は、灰を分離する際に本体ごと揺動や振動をさせなければならない。そのため、本体を揺動や振動をさせると灰が舞い上がり思ったように灰と線香等の燃え残りを分離することができない。また、蓋が外れると灰を周囲に撒き散らしてしまう危険性がある。さらに、大量の灰を処理する場合にいちいち中の灰を取り出して新たな香炉灰に入れ替えなければならず手間がかかる。
【０００８】
特許文献２に記載の考案は、網を複数配設したり、灰ふるい器本体下部の中心に回転軸を軸支し、回転軸の上端を回転網に固着し、且つ回転軸の下端を前記駆動手段と接続させるなど構造が複雑である。また、駆動部に灰などが詰まることで駆動できなくなる恐れがある。
【０００９】
特許文献３に記載の発明は、構造が非常に複雑である。また、自動で灰と燃え残りを分離させるために電源が必要となり、電源がないと使用できない。
【００１０】
本考案の目的は上記のような不具合を解消することにあり、香炉灰を線香等の燃え残りと分離する際に飛散することなく、容易に分離できる香炉灰分離器を提供することを目的とする。また、単純な構造で容易に灰と燃え残りを分離できる香炉灰分離器を提供することを目的とする。さらに、大量の灰を処理する場合でも単に香炉灰を継ぎ足せばよく、簡単な処理で大量の灰と燃え残り等を分離できる香炉灰分離器を提供することを目的とする。
【課題を解決するための手段】
【００１１】
前記の目的を達成するために、本考案に係わる香炉灰分離器は、篩と筐体とを備える香炉灰分離器であって、前記篩と前記筐体とが着脱可能に嵌合し、前記篩の底面には灰を濾すための細孔が設けられており、前記筐体の底面に灰を筐体外部へと排出するための排出口が設けられており、前記篩を回動または振動させることで、前記篩の内部に配置した香炉灰のうち灰のみが前記篩の底面に設けられた細孔から前記筐体内部へと濾され、前記灰が前記排出口から外部へと排出されることを特徴とする。
【００１２】
また、  前記篩の底面に設けられた前記細孔の直径が０．５ｍｍから２ｍｍであることを特徴とする。
【００１３】
そして、前記筐体に脚部が立設されていることを特徴とする。
【００１４】
さらに、前記篩と前記筐体とが嵌合したときに前記篩と前記筐体との間に隙間が形成され、前記隙間が０．５ｍｍから１０ｍｍであることを特徴とする。
【００１５】
また、前記篩に把手が突設されていることを特徴とする。
【００１６】
そして、前記筐体が略角柱形状または略円筒形の形状であり、前記筐体の上面の径が前記筐体底面の径よりも大きいことを特徴とする。
【００１７】
さらに、前記篩の底面に設けられた前記細孔が網状に形成されていることを特徴とする。
【考案の効果】
【００１８】
本考案は、篩と筐体とが脱着可能に嵌合し、篩を回動または振動させることで篩の内部に入れた香炉灰のうち灰のみが篩の底面に設けられた細孔から筐体内部へ濾され、線香等の燃え残り等が濾されずに篩内部に残り、灰のみが筐体底面に設けられた排出口から外部へと排出されることで周囲に灰を飛散することなく灰と線香等の燃え残りを分離することができる。
【００１９】
また、篩と筐体とで構成することにより構造が単純となり、手で篩を回動または振動させることで篩内部に入れた灰を容易かつ簡便に分離することができる。さらに、大量の香炉灰を処理する場合でも単に香炉灰を継ぎ足せばよく、容易に大量の香炉灰を処理することができる。
【図面の簡単な説明】
【００２０】
【図１】本考案における香炉灰分離器の全体図である。
【図２】本考案における篩の斜視図である。
【図３】本考案における筐体の斜視図である。
【図４】本考案における篩と筐体の縦断面図である。
【図５】本考案における使用図である。
【考案を実施するための形態】
【００２１】
以下に、本考案における香炉灰分離器の実施形態を図面に基づいて詳しく説明する。
【００２２】
図１は本考案における香炉灰分離器１０の全体図を示している。図１に示すように香炉灰分離器１０は、篩１２と、篩１２が脱着可能に嵌合する筐体１４とを備えている。
【００２３】
図２は本考案における篩１２の斜視図を示している。篩１２は把手１６が突設されており、把手１６を用いて篩１２を把持することができ、容易に篩１２を回動または振動させることができる。また、篩１２の底面には多数の細孔１８が設けられており、細孔１８の直径は０．５ｍｍから２ｍｍとなるように形成されている。
【００２４】
図３は本考案における筐体１４の斜視図を示している。筐体１４は略角柱形または略円筒形の形状であり、筐体上面部２６の径は底面部２８の径よりも大きく形成されている。このとき、図３に示すように筐体１４の中間あたりから徐々に径をすぼめるように絞り込み、底面部の径を小さくすることができるが、この方法に限定されるわけではない。
【００２５】
また、筐体底面部２８には排出口２０が儲けられており、篩１２で濾された灰を外部に排出可能としている。さらに、筐体１４には複数の脚部２４が立設されている。このとき、脚部２４は筐体１４を支えることができれば本数は問わないが、３本から４本が好ましい。
【００２６】
図４は本考案における篩１２と筐体１４の縦断面図を示している。篩１２は筐体１４に脱着可能に嵌合することができ、嵌合した際の篩１２と筐体１４の間には０．５〜１０ｍｍの隙間２９ができるように形成される。    
【実施例１】
【００２７】
以下に実際の香炉灰分離器を使用するための実施例を示す。図５は本考案における使用図を示している。香炉３０から香炉灰３２を筐体１４に嵌合した篩１２に投入する。このとき、香炉灰３２は灰３４と線香等の燃え残りが混在している。
【００２８】
香炉灰３２の投入後、把手１６を上下や左右に振動させることで、香炉灰３２を篩１２の細孔１８から筐体１４内部へと濾させる。この時、線香等の燃え残りは細孔１８を通ることができず篩１２内部に残される。
【００２９】
細孔１８で濾された灰３４は筐体１４の底面に設けられた排出口２２から外部へと排出される。このとき、排出口２２の下部に容器３６を配置することで、灰３４は容器３６内へと充填される。充填された灰３４は香炉３０に戻されることで容易に灰３４と線香等の燃え残りを分離することができる。
【００３０】
なお、本発明は上述した実施の形態に限定されるものではなく、本発明の趣旨を逸脱しない範囲で変更することが可能である。
【産業上の利用可能性】
【００３１】
単純な構造で香炉灰と線香等の燃え残りとを分離する際に灰が飛散することなく、容易に分離できる香炉灰分離器を提供することができる。さらに、大量の灰を処理する場合でも単に香炉灰を継ぎ足せばよく、簡単な処理で大量の灰と燃え残りを分離することができる。
【符号の説明】
【００３２】
１０  香炉灰分離器
１２  篩
１４  筐体
１６  把手
１８  細孔
２０  排出口
２２  底面部
２４  脚部
２６  筐体上面部
２８  筐体下面部
２９  隙間
３０  香炉
３２  香炉灰
３４  灰
３６  容器
【図１】
0003216510.tif 000003
【図２】
0003216510.tif 000004
【図３】
0003216510.tif 000005
【図４】
0003216510.tif 000006
【図５】
0003216510.tif 000007